(57)【要約】【課題】導電性液体上に浮いた密閉容器を所定の姿勢に保つことにより、液体上に現われた外観形状を利用して光による演出を行なうことのできるセレモニー用発光器が望まれている。【解決手段】セレモニー用発光器１は、透光性を有する密閉容器２と、密閉容器２内に収容されていて、通電により発光する発光体１７および該発光体１７に電力を供給する電池２０，２０を備えた電気回路８と、先端５Ａ，６Ａが器外に露出するように密閉容器２を貫通させて設けられていて、電気回路８を断続するための正電極５および負電極６と、密閉容器２を導電性液体上に浮かせる浮力構造１９と、導電性液体上に浮いた密閉容器２を所定姿勢に保つ錘部４と、を備えてなり、正電極５および負電極６の導電性液体への浸漬により発光体１７が通電されるように構成されている。【選択図】図３
2010277824.tif 000002
【特許請求の範囲】
【請求項１】
透光性を有する密閉容器と、
密閉容器内に収容されていて、通電により発光する発光体および該発光体に電力を供給する電池を備えた電気回路と、
先端が器外に露出するように密閉容器を貫通させて設けられていて、電気回路を断続するための正電極および負電極と、
密閉容器を導電性液体上に浮かせる浮力構造と、
導電性液体上に浮いた密閉容器を所定姿勢に保つ錘部と
を備えてなり、正電極および負電極の導電性液体への浸漬により発光体が通電されるように構成されているセレモニー用発光具。
【請求項２】
密閉容器における導電性液体上に浮き出た部分の外観が、バラ、チューリップ、蓮、または菊のいずれかの花形状に形成されていることを特徴とする請求項１に記載のセレモニー用発光器。
【発明の詳細な説明】
【技術分野】
【０００１】
本発明は、例えば結婚披露宴、各種パーティ、葬儀などのセレモニーにおいて、光による演出に使用されるセレモニー用発光器に関するものである。
【背景技術】
【０００２】
従来、この種のセレモニー用発光器としては、例えば下記の特許文献１に記載されたものが知られている。この文献記載のセレモニー用発光器では、密閉容器から器外に露出した正電極と負電極を導電性液体に浸漬させると発光体が通電されて発光するようになっており、利用者に無用の気づかいや手間をかけることなく光による演出を受けられることが記載されている。また、導電性液体上に浮かす浮力構造を備えた場合は、導電性液体上でセレモニー用発光具が揺れて煌めく光を発することが記載されている。
【先行技術文献】
【特許文献】
【０００３】
【特許文献１】登録実用新案第３０９８８２９号公報
【発明の概要】
【発明が解決しようとする課題】
【０００４】
ところで、上記特許文献１では、水中に沈む矩形ブロック形状のセレモニー用発光器が具体例として示されているだけであり、水上に浮くセレモニー用発光器の外観形状、および浮いたときの姿勢に関する記載はない。従って、例えセレモニー用発光器が特徴的な外観形状を持っていたとしても、その特徴的外観形状が常に水上に現われるとは限らず、特徴的外観形状を利用した光の演出を提供できると言い切れなかった。
一方で近年、プール付きホテルでの結婚披露宴においては、参列者達が新郎・新婦をかかえ上げてプールに投げ入れるというアトラクションがよく見受けられるが、このようなアトラクションを盛り上げるうえでも、光による素晴らしい演出が望まれるところである。
【０００５】
本発明は、上記した従来の問題点に鑑みてなされたものであって、導電性液体上に浮いた密閉容器を所定の姿勢に保つことにより、液体上に現われた外観形状を利用して光による演出を行なうことのできるセレモニー用発光器の提供を目的とする。
【課題を解決するための手段】
【０００６】
上記目的を達成するために、本発明に係るセレモニー用発光器は、透光性を有する密閉容器と、密閉容器内に収容されていて、通電により発光する発光体および該発光体に電力を供給する電池を備えた電気回路と、先端が器外に露出するように密閉容器を貫通させて設けられていて、電気回路を断続するための正電極および負電極と、密閉容器を導電性液体上に浮かせる浮力構造と、導電性液体上に浮いた密閉容器を所定姿勢に保つ錘部とを備えてなり、正電極および負電極の導電性液体への浸漬により発光体が通電されるように構成されたものである。
【０００７】
また、前記構成において、密閉容器における導電性液体上に浮き出た部分の外観が、バラ、チューリップ、蓮、または菊のいずれかの花形状に形成されているものである。
【発明の効果】
【０００８】
本発明に係るセレモニー用発光器は、導電性液体に投入されると、浮力構造の機能により密閉容器が導電性液体上に浮き、錘部の機能により導電性液体上の密閉容器が所定姿勢に保たれるので、例えば密閉容器の特徴的な外観形状を有する部分が導電性液体上に浮き出るような姿勢に保つことができる。また、密閉容器から露出している正電極および負電極が導電性液体に浸漬され、発光体が通電されて発光する。これにより、例えば特徴的な外観形状部分を水上に出した状態で発光するので、光による水上での演出を行なうことができる。
【０００９】
また、導電性液体上に浮き出た密閉容器の部分の外観がバラまたはチューリップの花形状に形成されているものでは、結婚披露宴や各種パーティにおいて幻想的で素晴らしい雰囲気を演出することができる。また、前記浮き出た部分の外観が蓮または菊の花形状に形成されているものでは、お通夜や告別式において荘厳な趣きを醸し出すことができる。
【図面の簡単な説明】
【００１０】
【図１】本発明の一実施形態に係るセレモニー用発光器の外観図である。
【図２】前記セレモニー用発光器の底面図である。
【図３】前記セレモニー用発光器の縦断面図である。
【図４】前記セレモニー用発光器を水に浮かせた状態を示す使用態様図である。
【図５】本発明の別の実施形態に係るセレモニー用発光器の正面図である。
【図６】本発明の更に別の実施形態に係るセレモニー用発光器の正面図である。
【図７】本発明の他の実施形態に係るセレモニー用発光器の正面図である。
【発明を実施するための形態】
【００１１】
本発明の実施形態を図面に基づいて説明する。尚、以下に述べる実施形態は本発明を具体化した一例に過ぎず、本発明の技術的範囲を限定するものでない。図１は本発明の一実施形態に係るセレモニー用発光器の外観図、図２は前記セレモニー用発光器の底面図、図３は前記セレモニー用発光器の縦断面図である。
各図において、この実施形態に係るセレモニー用発光器１は、その外殻が、透光性を有する密閉容器２と、密閉容器２の下面に固着される錘部４とから主に構成されている。この密閉容器２は例えば乳白色の半透明合成樹脂で形成されていて、下面開口７を有する中空状の容器本体２Ａと、容器本体２Ａの下面開口７を封止する円板状の底蓋体２Ｂとから構成されている。容器本体２Ａは例えば軟質のポリエチレン樹脂で構成されていて、容器本体２Ａの水上に浮き出る本体上部（図３中の１点鎖線Ｈで示す位置よりも上の部分）は、外観がバラの花形状に形成された花形状部３となっている。また、錘部４は例えばポリアミド樹脂（比重＝１．１５）で構成され、セレモニー用発光器１が水Ｗに浮いたとき花形状部３を水上に露出させる姿勢にセレモニー用発光器１を保つようになっている。
【００１２】
底蓋体２Ｂは錘部４の上面に接着剤や超音波溶着などにより固着されている。これら底蓋体２Ｂおよび錘部４に、上下貫通する２つの貫通穴（符号付け省略）が設けられ、これらの貫通穴に正電極５と負電極６が挿通される。正電極５および負電極６は水封性を有する導電ゴムで構成されており、外径が２ｍｍ程度である。正電極５の先端５Ａと負電極６の先端６Ａはそれぞれ錘部４の下面から器外に１ｍｍ程度露出している。正電極５と負電極６の上端部近傍には、それぞれ横方向に張り出た鍔状部が形成されている。そして、底蓋体２Ｂの上面と、底蓋体２Ｂ上に固着される保持板材９の上向き凹み部分（符号付け省略）との間に、前記した各鍔状部が挟持されることにより、正電極５および負電極６が固定される。正電極５と負電極６の上端は、保持板材９の上向き凹み部分に形成されている貫通孔（符号付け省略）をそれぞれ通過して保持板材９の上面から露出している。
【００１３】
保持板材９の周縁部には、支柱部１１が保持板材９と一体に立設されている。支柱部１１の上端部には、保持板材９の上向き凹み部分の上方を横方向に延びる押さえ板１２が固設されている。支柱部１１の外側面には回路基板１６が添設されている。保持板材９の上向き凹み部分の直上位置には、回路基板１６と接続された端子１４が横設され、端子１４の下面は正電極５の上端と接している。端子１４の上面はシート状の絶縁体２１で被われている。絶縁体２１の上面は下側の電池２０の（−）極を支持している。この下側の電池２０の（−）極は負電極６の上端にも直に接触して支持されている。回路基板１６の上部には、前記した押さえ板１２に沿って配置される端子１５が接続されている。この端子１５はその先端が板バネ状に形成されていて押さえ板１２により下向きに弾性付勢され、上側の電池２０の（＋）極を押下する。すなわち、電池２０，２０は押え板１２により押下される端子１５と、絶縁体２１および負電極６の上端との間に挟持される。そして、押さえ板１２の上面には、弾性体から成るスペーサ１３が配置されている。前記した電池２０，２０や回路基板１６などの回路部品は、下面が開口した収容箱部１０内に収容される。収容箱部１０の上面中央部には、上向きに陥入した取付穴部１０Ａが形成されている。この取付穴部１０Ａに縦長管球状の発光体１７が装入される。
【００１４】
発光体１７は、例えば通電により発光する３つの発光ダイオード（ＬＥＤ）を管球内に備えている。この実施形態では、例えば青色光を発するＬＥＤ１７Ａ、緑色光を発するＬＥＤ１７Ｂ、および赤色光を発するＬＥＤ１７Ｃを用いてある。発光体１７のＬＥＤに電力を供給する電池２０は、例えばリチウム１次のボタン電池で構成され、平均出力電圧が約１．５ボルト（２００ｍＡｈ）である。この実施形態では、例えば２つの電池２０，２０が直列に連結して使用される。尚、点灯開始から消灯までの累積点灯時間は概ね１０〜１４時間であり数回分のセレモニーに使用できるので、電池２０，２０の容量は実用上支障を生じない。ＬＥＤ１７Ａ，１７Ｂ，１７Ｃと電池２０，２０との間には、回路基板１６に設けた電流制限抵抗が介設されている。これら、正電極５、端子１４、電流制限抵抗を含む回路基板１６の電子部品、ＬＥＤ１７Ａ，１７Ｂ，１７Ｃ、端子１５、電池２０，２０、および負電極６が接続されて、本実施形態の電気回路８が構成される。前記の正電極５と負電極６は電気回路８を断続するために用いられる。
【００１５】
上記のように収容箱部１０の取付穴部１０Ａに装入された発光体１７は、収容箱部１０が保持板材９上の所定位置に設置され固着された状態で、押え板１２上のスペーサ１３により底面を支持される。そして、収容箱部１０の下面開口縁が保持板材９の周縁部に接着剤や超音波溶着などで固着される。更に、上記の電気回路８を内蔵した収容箱部１０が下面開口７から容器本体２Ａ内に装入され、底蓋体２Ａが容器本体２Ａの下面開口７に接着剤などで封着され、錘部４の上面周縁部も容器本体２Ａの下面周縁部に固着される。このようにして、水などを密閉容器２内に浸入させない構成となっている。そして、容器本体２Ａ内の上部は空間部１８となっている。この空間部１８の内容積はセレモニー用発光器１を水（導電性液体）に投入したときにセレモニー用発光器１を水に浮上させ得る容量に設定されている。このような内容積の空間部１８が本実施形態に係る浮力構造１９である。
【００１６】
上記のように構成されたセレモニー用発光器１の作用を次に説明する。このセレモニー用発光具１は上記の浮力構造１９を備えているので、プール内の水Ｗ中に投入されると水面に浮く。同時に、正電極１０および負電極１１が水Ｗに浸漬される。すると、水Ｗの介在により正電極１０と負電極１１が導通し、電池２０，２０の電力が発光体１７に通電されてＬＥＤ１７Ａ，１７Ｂ，１７Ｃが発光する。この場合、発光体１７のＬＥＤ１７Ａ，１７Ｂ，１７Ｃはそれぞれの所定時間だけ順に発光する。また、一つのＬＥＤの発光時間中に回路基板１６が各電流制限抵抗値を自動的に変更して光の色を変化させる。これにより、美しく光量の多い、青色光、緑色光、赤色光、オレンジ色光、およびピンク色光が変色しながら発光体１７から発せられる。発光体１７から発せられた光は密閉容器２を透過するが、その際に乳白色の容器本体２Ａを透過して均一に分散され、パステル調のほのかな光として外部に放たれる。すなわち、多数のセレモニー用発光器１，１，１，・・・をプールの水Ｗに投入した後、ライトダウンして会場を薄暗くすると、各セレモニー用発光器１，１，１，・・・からの色光が顕著になり、あたかも無数のバラの花が浮遊しているかのような景観を呈し、しかもバラの色が順次様々に変わるため、プールが幻想的な雰囲気になる。このような雰囲気の中で、参列者達が新郎・新婦をかかえ上げてプールに投げ入れるのである。このように、会場でセレモニー用発光器１，１，１，・・・から発せられた色光は、液面での光反射、液中での光拡散、液面の揺れなどを利用した色光による演出を行なって、装飾効果を格段に高めることとなる。
【００１７】
尚、上記した各実施形態では、花形状部３の外観がバラの花形状に形成されたものを例示したが、本発明のセレモニー用発光器の外観はそれに限定されるものでない。例えば、図５に示すようなセレモニー用発光器１ａも本発明に含まれる。セレモニー用発光器１ａでは、乳白色の密閉容器２ａの水上に浮き出る容器本体上部が、チューリップの花形状の外観に形成された花形状部３ａとなっている。花形状部３ａの外観以外は、先述したセレモニー用発光器１の構成と同様である。
このセレモニー用発光器１ａは、例えば透明なガラス花瓶の水中に浮かべておくなど、パーティ用の器具として好適に用いられる。
【００１８】
また、上記では結婚披露宴やパーティ向けのセレモニー用発光器１，１ａを示したが、例えば図６に示すようなセレモニー用発光器１ｂも本発明に含まれる。
セレモニー用発光器１ｂでは、乳白色の密閉容器２ｂの水上に浮き出る容器本体上部が、蓮の花形状の外観に形成された花形状部３ｂとなっている。花形状部３ｂの外観以外は、先述したセレモニー用発光器１の構成と同様である。
このセレモニー用発光器１ｂは、例えば斎場に設けられたミニ庭園の池の水に投入されることにより、お通夜、告別式などの葬儀においてよりいっそう荘厳な趣きを引き出すことができる。
【００１９】
更に、このような葬儀用のセレモニー用発光器としては、図７に示すセレモニー用発光器１ｃも好適である。このセレモニー用発光器１ｃは、乳白色の密閉容器２ｃの水上に浮き出る容器本体上部が、菊の花形状の外観に形成された花形状部３ｃとなっている。花形状部３ｃの外観以外は、先述したセレモニー用発光器１の構成と同様である。これらのセレモニー用発光器１ｂ，１ｃでは、葬儀に合う色、例えば白、ブルー、黄などの色光を発する適宜のＬＥＤを選択することが望ましい。
【００２０】
尚、上記した各実施形態では導電性液体として真水を用いた例を示したが、本発明の導電性液体としては真水だけに限るものでなく、例えば導電性を損なわせない量のアルコールを含む水、海水などが挙げられる。海水を用いるものとしては、例えば披露宴会場に隣接したビーチの海水に上記のセレモニー用発光器１，１ａを投入して使用する例が挙げられる。
【００２１】
また、本発明の発光体の光源としては上記のＬＥＤに限らず、豆電球などを使用することも可能である。また、本発明の電池はリチウム１次電池に限らず、リチウム２次電池、マンガン電池、ニッケル水素電池、ニッカド電池などを使用することも可能である。
【００２２】
また、本発明における他の浮力構造としては、例えばセレモニー用発光器１，１ａ，１ｂ，１ｃを水Ｗ上に浮かすことのできる量の発泡材（発泡ポリスチレン、発泡ポリウレタン、発泡ポリエチレンなど）が挙げられる。また、かかる浮力構造の配備位置は密閉容器２の内外いずれでも構わない。但し、これらの浮力構造と錘部との配置関係は、所定姿勢に保つ上で適切となるように考慮する必要がある。
【符号の説明】
【００２３】
１，１ａ，１ｂ，１ｃ  セレモニー用発光器
２，２ａ，２ｂ，２ｃ  密閉容器
２Ａ  容器本体
２Ｂ  底蓋体
３，３ａ，３ｂ，３ｃ  花形状部
４    錘部
５    正電極
５Ａ，６Ａ  先端
６    負電極
８    電気回路
１６  回路基板
１７  発光体
１７Ａ，１７Ｂ，１７Ｃ  発光体
１８  空間部
１９  浮力構造
２０  電池
Ｈ    １点鎖線
Ｗ    水（導電性液体）
【図１】
2010277824.tif 000003
【図２】
2010277824.tif 000004
【図３】
2010277824.tif 000005
【図４】
2010277824.tif 000006
【図５】
2010277824.tif 000007
【図６】
2010277824.tif 000008
【図７】
2010277824.tif 000009